(57)【要約】【課題】水準器を別途使用せずに、ショーケースに備わっている部品をそのまま使用して、簡単な方法でショーケース設置の水平度を確保でき、ドレン水溢れなどの不都合を回避できる冷熱機器を得る。【解決手段】ドレン水受け４ａ〜４ｃと、ドレン水受け内のドレン水の水面までの距離を測定する水位検知装置２０ａ、２０ｂを設けた冷熱機器において、前記水位検知装置２０ａ、２０ｂは複数個を設置し、各々の水位検知装置２０ａ、２０ｂで検出された水面までの距離の測定値の差から、冷熱機器本体の設置の水平程度を判定する機能を備えた。【選択図】        図１
2008111609.tif 000002
【特許請求の範囲】
【請求項１】
ドレン水受けと、ドレン水受け内のドレン水の水面までの距離を測定する水位検知装置を設けた冷熱機器において、前記水位検知装置は複数個を設置し、各々の水位検知装置で検出された水面までの距離の測定値の差から、冷熱機器本体の設置の水平程度を判定する機能を備えたことを特徴とする冷熱機器。
【請求項２】
前記水平程度の設置現場での判定の基準値は、工場出荷時などに予め冷熱機器を水平に設置した状態で複数の水位検知装置で検出された測定値とすることを特徴とする請求項１記載の冷熱機器。
【請求項３】
複数のドレン水受けと、これらのドレン水受けごとにドレン水の水面までの距離を測定する水位検知装置を設けた冷熱機器において、少なくとも２個以上の水位検知装置のうち、１個はドレン水受けの中心位置よりも１／３以上冷熱機器の外側方向に偏位させて配置し、他の１個は前記偏位位置と対称の偏位位置に配置したことを特徴とする冷熱機器。
【請求項４】
ドレン水受けと、ドレン水受け内のドレン水の水面までの距離を測定する水位検知装置を設けた冷熱機器において、水位検知装置と水面との間に測定用媒体の通過量を規制する規制部材を配設したことを特徴とする冷熱機器。
【請求項５】
ドレン水受けを設けた冷熱機器において、前記ドレン水受けは、冷熱機器に設置され所定量の水が投入された状態で水準器としての機能を備えることを特徴とする冷熱機器。
【発明の詳細な説明】
【技術分野】
【０００１】
本発明は、例えば冷凍冷蔵ショーケースなどの冷熱機器に関するものである。
【背景技術】
【０００２】
スーパーマーケットなどの店舗に設置されるオープンタイプの縦型冷凍冷蔵ショーケースは、図１３に示すようにショーケース本体の下部に形成される機械室３内に凝縮器２や圧縮機（図示せず）などにより構成される冷凍装置を配設し、ショーケース本体の背面側に設置した冷却器で冷却した冷気で商品収納庫１内に収納した商品を冷却するもので、冷気は循環される。図中５は凝縮器用の送風ファン、６は蒸発板、７はショーケースコントローラ、８はドレン水の満水警報ランプを示す。
【０００３】
冷気は前記のように庫内の空気が循環されるものであるが、商品収納庫１の前面が商品の出入口として開放されているため、ここから暖かい外気が流入し、これに含まれる湿気が冷却器で結露し霜となる。
【０００４】
そして、この着霜により冷却器の能力が低下することを防ぐため、適宜除霜するが、除霜された水分がドレン水として発生する。
【０００５】
このドレン水は、通常は排水用のパイプが接続されてこのパイプで店舗外の排水溝に導かれるが、パイプが固定されるとこの配管によってショーケースの設置位置が固定される。そこで、移動が容易なように圧縮機が組み込まれているショーケースでは、移動性が損われないようドレン水もショーケース内に設置したドレンタンクやドレンパンなどのドレン水受け４に貯留している。
【０００６】
このようにドレン水受け４にドレン水を溜める場合、定期的に排水する必要が生じるが、ドレン水の発生量は天候や、ショーケースのサイズや温度帯、庫内に収納している商品の量などによって左右される。
【０００７】
このため、ドレン水の貯留量を把握して溢水する前に排水する必要があり、超音波センサーなどを水位検知装置２０としてドレン水受け４に設けて、水位検知装置２０と水面との距離、すなわち貯留量を検出しているが、図１０に示すようにショーケースが横長で大型の場合は、ドレン水受け４も複数が横方向に並列され、水位検知装置２０も各ドレン水受け４ごとに設けられることになる。図中９は庫内底、１０は商品の陳列用の棚を示す。
【０００８】
そして、図１１に示すように複数の水位検知装置２０で測定された距離の測定値が水位検知装置２０から水位検知装置入力部２１を介してショーケースコントローラ７に入力され、ここからの出力で満水警報ランプ８が点灯するなどして満水を報知される。
【０００９】
他方、想定外の箇所からドレン水が溢れることなどを防止するには、ショーケースが水平に設置されている必要がある。そのため、従来は水準器などを別途用意してショーケースの設置時に水平度を確保するようにしている。
【００１０】
前記従来技術は、当業者間で一般に行われているものであり、文献公知発明にかかるものではない。
【発明の開示】
【発明が解決しようとする課題】
【００１１】
ショーケースが水平に設置されないと、見た目がよくないことはもちろんのこと、棚に陳列した商品が転がったり、ドレン水の排水用の傾斜が悪くなって想定外の箇所からドレン水が溢れるおそれがある。
【００１２】
スーパーマーケットなどの店舗などの設置現場において、ショーケースの設置業者は水平度が得られるように設置作業を行ってはいるが、特に設置箇所を移動することの多いコンプレッサー内蔵型のショーケースでは、水準器をその都度使用することが煩雑で、目視で水平度を判定することが多くなり、想定以上の傾斜があっても設置を完了してしまうことがある。
【００１３】
本発明の目的は前記従来例の不都合を解消し、水準器を別途使用せずに、ショーケースに備わっている部品をそのまま使用して、簡単な方法でショーケース設置の水平度を確保でき、ドレン水溢れなどの不都合を回避できる冷熱機器を提供することにある。
【課題を解決するための手段】
【００１４】
本発明は前記目的を達成するため、請求項１記載の発明は、ドレン水受けと、ドレン水受け内のドレン水の水面までの距離を測定する水位検知装置を設けた冷熱機器において、前記水位検知装置は複数個を設置し、各々の水位検知装置で検出された水面までの距離の測定値の差から、冷熱機器本体の設置の水平程度を判定する機能を備えたことを特徴とするものである。
【発明の効果】
【００１５】
以上述べたように本発明の冷熱機器は、ショーケースなどの冷熱機器に備わっている複数の水位検知装置を利用し、この水位検知装置で測定されるドレン水受けの水面との距離の測定値をもとにして、冷熱機器設置の水平程度を判定できるから、別途水準器などの機器を用意することなく、また、特別の知識や技術を必要とせずに機器の水平判定が可能となり、容易かつ確実に冷熱機器を水平に設置できるものである。
【発明を実施するための最良の形態】
【００１６】
以下、図面について本発明の実施形態を詳細に説明する。図１は本発明の冷熱機器の第１実施形態を示す説明図で、本発明が実施される冷熱機器としてのショーケースの全体構成は図１３について説明した従来例と同様であるからここでの詳細な説明は省略する。
【００１７】
本発明の第１実施形態が実施されるショーケースは、図１に示すように複数のドレン水受け４ａ、４ｂ、４ｃがショーケースの長さ方向に並列に設置され、このうちの両側のドレン水受け４ａ、４ｂに超音波センサーなどを利用する水位センサーである水位検知装置２０ａ、２０ｂが設置されている。図中９はショーケースの庫内底、１０は商品の陳列用の棚を示す。
【００１８】
前記複数のドレン水受け４ａ、４ｂ、４ｃは水路１１で連結され、各ドレン水受け４ａ、４ｂ、４ｃの水位はショーケースが水平に設置された状態では同一の値を示すように構成されている。また、各水位検知装置２０ａ、２０ｂはドレン水受け４ａ、４ｂに対して同一の高さに設置されている。
【００１９】
かかるショーケースにおいて、ショーケースが水平に設置されていれば各水位検知装置２０ａ、２０ｂで検出されるドレン水受け４ａ、４ｂ内のドレン水の水面との距離の測定値は一致するが、ショーケースが傾斜して設置されると、水位検知装置２０ａ、２０ｂで測定される水面との距離の測定値に差が生じる。
【００２０】
本発明はこの差をもってショーケースの水平程度を判定するもので、図３に示すようにショーケースコントローラ７の制御部の設定モードのなかに水平設定モードと水平設定ＮＧモードとを設定しておく。
【００２１】
そして、ショーケースの現場設置時に水平程度を判定するには、図２のフローチャートに示すように、水平検査モードに設定すれば（ステップ１）、水位検知装置２０ａで下方のドレン水受け４ａのドレン水の水面との距離ｈ１が測定され、また、水位検知装置２０ｂで下方のドレン水受け４ｂのドレン水の水面との距離ｈ２が測定される（ステップ２）、（ステップ３）。
【００２２】
測定値ｈ１とｈ２の差を算出し、その差が２２ｍｍ未満であれば（ステップ４）、傾斜は０．５度未満であるから正常の範囲と判定して（ステップ５）、その他の出荷モードを終了する（ステップ６）。
【００２３】
測定値ｈ１とｈ２の差を算出し、その差が２２ｍｍ未満であれば正常の範囲と判定する根拠は、一般にショーケースの両側位置に配置される水位検知装置２０ａ、２０ｂの間の距離は２，５００ｍｍであり、ショーケースの傾きを０．５度以内にするには、２，５００ｍｍ×ｔａｎ（０．５度）＝２１．８２ｍｍであることから、h１−ｈ２＜２２ｍｍとなる。
【００２４】
一方、前記（ステップ４）の段階でｈ１とｈ２の差が２２ｍｍ以上であればショーケースの傾きは０．５度以上となるから（ステップ８）、異常報知を行う（ステップ８）。
【００２５】
この異常報知は、図４に示すように例えばショーケースコントローラの表示基板１２で行い、通常は庫内温度などが表示される表示部１３に例えば「Ｅ９」のエラー記号１３ａで表示する。
【００２６】
なお、水平検査モードに設定されていない場合は（ステップ１）、通常の冷却運転が実施される（ステップ７）。
【００２７】
図５は第２実施形態を示し、前記第１実施形態では各水位検知装置２０ａ、２０ｂはドレン水受け４ａ、４ｂに対して同一の高さに設置されているが、水位検知装置２０ａ、２０ｂがそれぞれのドレン水受け４ａ、４ｂに対して同一の高さ位置に設置されず、取付位置の高さに誤差のある場合もある。
【００２８】
第２実施形態はかかる場合を想定して水位検知装置２０ａ、２０ｂの取付位置の高さの誤差Δｈを補正するものであり、図６のフローチャートについて補正動作を説明する。
【００２９】
誤差Δｈはショーケースの工場出荷段階で予め行う。よって、ショーケースコントローラが工場出荷モードに設定された状態で（ステップ９）、まず、水位検知装置２０ａのドレン水までの距離を測定し、測定値ｈ１を入力し（ステップ１０）、さらに他方の水位検知装置２０ｂのドレン水までの距離を測定し、測定値ｈ２を入力する（ステップ１１）。
【００３０】
次にｈ２−ｈ２＝Δｈとして、高さの誤差ΔｈをショーケースコントローラのＥＥＰＲＯＭに記憶させておく（ステップ１２）。この誤差Δｈの値は、±符号を含むものとする。
【００３１】
以上のようにして誤差Δｈを記憶させたならば、その他の出荷モード機能を設定し（ステップ１３）、出荷モード設定を終了する（ステップ１４）。なお、出荷モードでない場合は（ステップ９）、通常の冷却運転が実施される（ステップ１５）。
【００３２】
ショーケースの設置現場では、測定値ｈ２から誤差の値Δｈを差引いた値を、測定値ｈ１から差引き、第１実施形態と同様、この差の値が２２ｍｍ未満であれば、傾斜は０．５度未満であるから正常の範囲と判定し、ショーケースは正常の範囲内の傾斜で設置されたものと判断する。
【００３３】
正常の範囲と判定する根拠は、一般にショーケースの両側位置に配置される水位検知装置２０ａ、２０ｂの間の距離は２，５００ｍｍであり、ショーケースの傾きを０．５度以内にするには、２，５００ｍｍ×ｔａｎ（０．５度）＝２１．８２ｍｍであることから、｜ｈ１−（ｈ２−Δｈ）｜となる。
【００３４】
図７は第３実施形態を示し、複数のドレン水受け４ａ〜４ｃに対して、それぞれ水位検知装置２０ａ〜２０ｃが取付けられる場合で、ショーケースの両側位置に配置されるドレン水受け４ａ、４ｂが同一の形状で同じ設置条件で設置されていれば、両ドレン水受け４ａ、４ｂに同量の水を注入したとき水面の高さも当然同一になるはずである。
【００３５】
この第３実施形態は前記事実を前提とするものであり、複数個設置されている水位検知装置の例えば図７において左側１個の水位検知装置２０ａはドレン水受け４ａの中心位置よりも１／３以上ショーケースの外側（図７においてドレン水受け４ａの中心から左側方向に１２５ｍｍの位置）に偏位させて配置し、他の右側１個の水位検知装置２０ｂは前記偏位位置と対称の偏位位置に配置した。
【００３６】
よって、水位検知装置２０ａ、２０ｂはそれぞれ別のドレン水受け４ａ、４ｂに設置されているが、ショーケースに対して左右対称位置に配置されているから、実質的には同一のドレン水受けに対してその左右位置に２５０ｍｍ離間して配置されていると同じことになる。
【００３７】
その結果、ドレン水受け４ａ、４ｂに同量の水を注入したとき、水位検知装置２０ａ、２０ｂが同一の高さ位置にあれば両水位検知装置２０ａ、２０ｂで検出される距離の値は同一となるが、ショーケースの機体が傾斜状態で設置されているとその傾斜角度に応じて水位検知装置２０ａ、２０ｂでそれぞれ検出される距離の値に差が生じる。
【００３８】
そして、この第３実施形態の場合も、水位検知装置２０ａ、２０ｂでそれぞれ検出される距離の値に差が、２５０ｍｍ×ｔａｎ（０．５度）＝２．２ｍｍの計算式に基いて、２．２ｍｍ未満であれば、傾きが０．５度以内であると判定されて、正常の範囲ないと判断する。
【００３９】
なお、この第３実施形態の場合も、第２実施形態と同様に工場出荷モードで水位検知装置２０ａ、２０ｂの取付位置の高さの誤差を補正することが可能である。
【００４０】
図８は第４実施形態を示し、水位検知装置２０とその下方のドレン水受け４内のドレン水の水面との間に測定用媒体の通過量を規制する規制部材としての吸音板１４を配設した。
【００４１】
この場合、水位検知装置２０としては、例えば超音波式のものを使用する。超音波式の水位検知装置２０は、図１２に示すように水位検知装置２０の超音波発生素子２２から下方の水面に向けて発進した超音波が戻ってくるまでの時間を計測し、この時間をもとにして水位検知装置２０と水面との距離を測定するものである。
【００４２】
そこで、第４実施形態では、前記吸音板１４に測定用媒体である超音波を通過させる孔１４ａを穿設しておく。この孔１４ａは、水位検知装置２０の超音波発生素子２２の直下位置に配置させる。
【００４３】
これにより、ショーケースすなわちドレン水受け４が水平に設置されていれば超音波発生素子２２から発信された超音波は、直下の孔１４ａを通過してその下方の水面に到達し、ここで反射して孔１４ａを再度通過して水位検知地装置２０に戻る。よって、ショーケースは水平に設置されているものと判断できる。
【００４４】
この場合、孔１４ａを通過せずにその周囲の吸音板１４にぶつかった超音波はここで吸収されるから、水位検知装置２０に戻ることはなく、水位検知装置２０では孔１４ａを通過して戻る超音波のみが検出される。
【００４５】
これに対して、ショーケースすなわちドレン水受け４が傾いていれば、水位検知装置２０から発信され孔１４ａを通過した超音波が、孔１４ａを再度通過して戻ることはないから、ショーケースは傾いて設置されており、異常と判定する。
【００４６】
容認できるショーケースの設置角度の範囲は、水位検知装置２０とドレン水の水面またはドレン水受け４の底までの距離と、吸音板１４の位置との関係により孔１４ａの大きさで決定する。
【００４７】
なお、吸音板１４は水面に反射させる超音波を一定のものに規制することを目的として他の超音波を遮断するものであるから、水位検知装置２０に他の超音波が戻らないようにする手段としては、規制部材として吸音機能を備えるものの他に、反射面を細かな突起状面に形成して超音波を水位検知装置２０の方向以外に反射させるようにすることも可能である。
【００４８】
この第４実施形態では、ドレン水受け４は複数個を必要せず、１個のドレン水受け４を設置したショーケースに適用でき、例えば第１〜第３実施形態がドレン水受けを複数個設置する大型のショーケースに実施することを想定しているのに対して、第４実施形態は中型のショーケースに実施して実効的である。
【００４９】
図９は第５実施形態を示し、小型のショーケースに実施して有効なものであり、ドレン水受け４の内側の壁にそって全周にわたって水平判定部として水平規準線１５を記しておく。この水平規準線１５は、例えば１リットルの水を注入した場合の水面位置に設ける。
【００５０】
よって、ショーケースの設置時に、１リットルの水をドレン水受け４に入れ、水面が水平規準線１５に重なればショーケースは水平に設置されたと判断できる。
【００５１】
なお、水平判定部は前記水平基準線１５に限定されるものではなく、同一の高さの複数の突起をドレン水受け４の底部から突設し、所定量の水をドレン水受け４に入れたとき、これらの突起の頭部が水で均一に隠れれば水平に設置されたと判断するようにすることも可能である。
【図面の簡単な説明】
【００５２】
【図１】本発明の冷熱機器の第１実施形態を示す説明図である。
【図２】本発明の冷熱機器の第１実施形態を示す水平度判定動作のフローチャートである。
【図３】本発明の冷熱機器の第１実施形態を示す設定モード図である。
【図４】本発明の冷熱機器の第１実施形態を示すショーケースコントローラ表示部の正面図である。
【図５】本発明の冷熱機器の第２実施形態を示す説明図である。
【図６】本発明の冷熱機器の第２実施形態を示す水平度判定動作のフローチャートである。
【図７】本発明の冷熱機器の第３実施形態を示す説明図である。
【図８】本発明の冷熱機器の第４実施形態を示す説明図である。
【図９】本発明の冷熱機器の第５実施形態を示す説明図である。
【図１０】従来の冷熱機器の説明図である。
【図１１】従来の冷熱機器の水位検知の制御ブロック図である。
【図１２】従来の冷熱機器の説明図である。
【図１３】冷凍冷蔵ショーケースの一部斜視図である。
【符号の説明】
【００５３】
１  商品収納庫                  ２  凝縮器
３  機械室                      ４、４ａ、４ｂ、４ｃ  ドレン水受け
５  ファン                      ６  蒸発板
７  ショーケースコントローラ    ８  満水警報ランプ
９  庫内底                      １０  棚
１１  流路                      １２  表示基板
１３  表示部                    １３ａ  エラー表示
１４  吸音板                    １４ａ  孔
１５  水平規準線
２０、２０ａ、２０ｂ、２０ｃ  水位検知装置
２１  水位検知装置入力部        ２２  超音波発生素子
【図１】
2008111609.tif 000003
【図２】
2008111609.tif 000004
【図３】
2008111609.tif 000005
【図４】
2008111609.tif 000006
【図５】
2008111609.tif 000007
【図６】
2008111609.tif 000008
【図７】
2008111609.tif 000009
【図８】
2008111609.tif 000010
【図９】
2008111609.tif 000011
【図１０】
2008111609.tif 000012
【図１１】
2008111609.tif 000013
【図１２】
2008111609.tif 000014
【図１３】
2008111609.tif 000015